(57)【特許請求の範囲】
【請求項１】
天井に設けられた点検口を閉止するための点検口蓋を回動式の蓋固定部材を用いて固定するために、点検口蓋及び天井の点検口の縁部に、それぞれ蓋固定部材の係合部を挿入するための穴部が設けられている点検口蓋の固定構造であって、
点検口蓋の穴部の周囲に形成された点検口蓋の係合面が、蓋固定部材の回転方向に上がり勾配となる傾斜状に形成されており、蓋固定部材を回動したときに、蓋固定部材の係合部が係合面に係合し固定され、この係合状態で係合面を下方に押圧し、点検口蓋を点検口側に引き寄せる方向に力が加わる構成であるとともに、
蓋固定部材を回動した際に、上記係合状態で、蓋固定部材の係合部によって点検口蓋の立面を水平方向に押圧し、点検口蓋を、点検口蓋の穴部の形成されている側に対向する側の点検口の縁部に押圧する構成であることを特徴とする点検口蓋の固定構造。
【請求項２】
請求項１において、前記穴部は天井の点検口の縁部と点検口蓋に形成されていることを特徴とする点検口蓋の固定構造。
【請求項３】
請求項１または２に記載の点検口蓋の固定構造であって、蓋固定部材を回動し点検口蓋で点検口を閉止したときに蓋固定部材がロック状態になるように、傾斜部に廻り止めが形成されていることを特徴とする点検口蓋固定構造。
【請求項４】
請求項１から３のいずれかに記載の点検口蓋の固定構造であって、傾斜部が点検口蓋側に形成されていることを特徴とする点検口蓋の固定構造。
【請求項５】
請求項１から４のいずれかに記載の点検口蓋の固定構造であって、蓋固定部材を回動してロック状態にしたときに蓋固定部材の係合部の先端が点検口蓋の立面を押圧していることを特徴とする点検口蓋の固定構造。
【請求項６】
請求項１から５のいずれかに記載の点検口蓋の固定構造であって、天井の点検口の縁部の下面に、前記穴部と同心の円形の回転ガイド窪みが形成されており、回転ガイド窪みには、蓋固定部材の一部に形成された円盤部が回転可能に嵌合されていることを特徴とする点検口蓋の固定構造。
【発明の詳細な説明】
【技術分野】
【０００１】
本発明は、点検口蓋固定構造に関し、特にハーフドーム式の浴室天井に設けられた点検口の点検口蓋を閉じてロックするとともに、点検口と点検口蓋の間の隙間の止水効果を向上させることのできる点検口蓋固定構造に関するものである。
【背景技術】
【０００２】
浴室の天井には、施工や保守点検等を行なうために、点検口が設けられ、この点検口に点検口蓋が開閉可能に設けられている。通常は、点検口蓋は、浴室側から上方に向けて開閉可能に点検口に装着されており、この点検口蓋が下方から上方に向けて勝手に開かないように、点検口蓋の閉じた状態をロック（固定）するように構成されている。
【０００３】
従来、天井の点検口蓋の周縁部を点検口の縁部にシールを介して上側から係合させ、固定具を、点検口蓋に形成された孔を通して浴室側から上方に向けて挿通して、点検口蓋を固定する構成が知られている。（特許文献１、特許文献２参照）このような固定具を設けることで、点検口蓋が浴室内の下側から風圧等で浮き上ったりすることを阻止することが可能となる。                                    
【０００４】
前記特許文献１の固定具は、上側係止体と下側係止体を有し、下側係止体を回動し、下側係止体の凸条を点検口蓋と点検口との隙間に係合して周り止めをする構成が示されており、また上側係止体に設けた棒体で点検口蓋の周縁部を天井パネルに押圧する構成が示されている。
【０００５】
また、前記特許文献２の固定具は、上部の係止片と下部の押え板を有し、押え板を回動して、押え板の上面に設けられた押圧片を天井パネルの下方から押圧して周り止めをする構成が示されている。
【先行技術文献】
【特許文献】
【０００６】
【特許文献１】特開平８−１８４２４２号公報
【特許文献２】特開２００４−８４２７９号公報
【発明の概要】
【発明が解決しようとする課題】
【０００７】
ところで、近年、浴室の暖房のために浴室乾燥機が設置される場合が多い。浴室乾燥機は、通常は本体が天井の上部に設置されているが、このように浴室乾燥機等の機器類を設置しても広い浴室空間を確保するためには、建築躯体の高さが低い場合には、ハーフドーム天井が適している。しかしながら、建築躯体の高さが低い場合には、本体が天井の上部に設置した浴室乾燥機等の機器を点検する点検口の点検口蓋は、上方に向けて点検口蓋を開けるようにするのは、構造的に困難である。
【０００８】
その対策として、ハーフドーム天井の立ち面（上下方向に設けられた面）に点検口を設け、点検口蓋を斜め方向に開けたりする構成が考えられる。点検口蓋をこのような構成とすると、天井の点検口の縁部と点検口蓋の間の隙間から浴室内の湿気や水分が天井側に入り込むのを防止するために、パッキンを介して点検口蓋と点検口との間の上下方向と水平方向の止水が必要となる。
【０００９】
水平方向の止水のために立ち面にも取付ビスを設けた場合は、蓋の取付動作に工数がかかることと、意匠、掃除性とともに、必ずしも好ましくない。また、特許文献１及び特許文献２記載の固定具では、いずれも点検口蓋を点検口の縁部の垂直方向のみに押圧しているので、垂直方向の止水効果しか得られないという問題がある。
【００１０】
本発明は、点検口に開閉可能に取り付けられる点検口蓋の固定具における上記従来の問題点を解決することを目的とし、点検口の縁部と点検口蓋の垂直方向の隙間だけでなく、水平方向の隙間に対しても止水を行うことのできる点検口蓋固定構造を実現することを課題とする。
【課題を解決するための手段】
【００１１】
本発明は上記課題を解決するために、天井に設けられた点検口を閉止するための点検口蓋を回動式の蓋固定部材を用いて固定するために、点検口蓋及び天井の点検口の縁部に、それぞれ蓋固定部材の係合部を挿入するための穴部が設けられている点検口蓋の固定構造であって、点検口蓋の穴部の周囲に形成された点検口蓋の係合面が、蓋固定部材の回転方向に上がり勾配となる傾斜状に形成されており、蓋固定部材を回動したときに、蓋固定部材の係合部が係合面に係合し固定され、この係合状態で係合面を下方に押圧し、点検口蓋を点検口側に引き寄せる方向に力が加わる構成であるとともに、蓋固定部材を回動した際に、上記係合状態で、蓋固定部材の係合部によって点検口蓋の立面を水平方向に押圧し、点検口蓋を、点検口蓋の穴部の形成されている側に対向する側の点検口の縁部に押圧する構成であることを特徴とする点検口蓋の固定構造を提供する。
【００１２】
前記穴部は天井の点検口の縁部と点検口蓋に形成されている構成としてもよい。
【００１３】
蓋固定部材を回動し点検口蓋で点検口を閉止したときに蓋固定部材がロック状態になるように、傾斜部に廻り止めが形成されている構成としてもよい。
【００１４】
傾斜部が点検口蓋側に形成されている構成としてもよい。
【００１５】
蓋固定部材を回動してロック状態にしたときに蓋固定部材の係合部の先端が点検口蓋の立面を押圧している構成としてもよい。
【００１６】
天井の点検口の縁部の下面に、前記穴部と同心の円形の回転ガイド窪みが形成されており、回転ガイド窪みには、蓋固定部材の一部に形成された円盤部が回転可能に嵌合されている構成としてもよい。
【発明の効果】
【００１７】
本発明は、天井の点検口の縁部に形成された穴部に蓋固定部材を挿入し、点検口蓋で点検口を閉じた際に、蓋固定部材を回動すると、蓋固定部材の係合部が穴部の周囲に形成された傾斜部の形成された係合面に摺動しながら当接して下方に押付けるので、点検口蓋の係合縁部を天井の点検口の縁部にシールを介して押付け、天井の点検口の縁部と点検口蓋の係合縁部との隙間の垂直方向の止水効果を高めることができる。
【００１８】
また、天井の点検口の縁部に形成された穴部に、蓋固定部材を挿入し、蓋固定部材を回動すると、蓋固定部材の係合部の先端が、点検口蓋の立面を押圧するから、点検口蓋を天井の点検口縁部に対してシールを介して水平に押付けて、天井の点検口の縁部と点検口蓋との隙間の間の水平方向の隙間に対しても止水効果を高めることができる。
【図面の簡単な説明】
【００１９】
【図１】本発明に係る点検口蓋固定構造の実施例１を示すユニットバスであって、点検口蓋を取り付けていない状態の全体構成を説明する図であり、（ａ）はユニットバスの内部を側方から見た図であり、（ｂ）はドーム天井の一部を天井裏からＡ−Ａ方向に見た図である。
【図２】図１（ａ）、（ｂ）と同様に本発明に係る点検口蓋固定構造の実施例１を適用したユニットバスであって、点検口蓋を取り付けた状態の全体構成を説明する図である。
【図３】（ａ）は実施例１の点検口蓋固定構造を説明する断面図であり、（ｂ）は（ａ）の要部を示す図であり、（ｃ）は蓋固定部材の斜視図である。
【図４】実施例１の点検口蓋固定構造の点検口蓋の凹所、及び点検口蓋とフラット天井のそれぞれの穴部を説明する図である。（ａ）は図３（ｂ）のＡ−Ａ断面を示し、（ｂ）は図４（ａ）のＡ−Ａ断面を示し、（ｃ）は図３（ｂ）のＢ−Ｂ断面を示し、（ｄ）、（ｅ）は図３（ｂ）のＣ−Ｃから見た図を示す。
【図５】実施例１の作用を説明する図であり、（ａ）、（ｄ）、（ｇ）は点検口蓋の凹所に対する蓋固定部材の動作を上方から見た図であり、（ｂ）、（ｅ）、（ｈ）は（ａ）、（ｄ）、（ｇ）のＡ−Ａ断面を示し、（ｃ）、（ｆ）、（ｉ）は（ａ）、（ｄ）、（ｇ）のＡ−Ａ断面を示す。
【図６】実施例１の構成、作用を説明する斜視図である。
【図７】実施例１の変形例を説明する図であり、（ａ）、（ｂ）は変形例１を、（ｃ）、（ｄ）は変形例２を、（ｅ）は変形例３を、それぞれ説明する図である。
【図８】本発明に係る点検口蓋固定構造の実施例２を示すユニットバス全体構成を説明する図であり、（ａ）はユニットバスの内部を側方から見た図であり、（ｂ）は点検口蓋固定構造の要部を説明する断面図である。
【図９】（ａ）は実施例３の点検口蓋固定構造を説明する断面図であり、（ｂ）は（ａ）の要部を示す図である。
【発明を実施するための形態】
【００２０】
本発明に係る点検口蓋固定構造を実施するための形態を実施例に基づき図面を参照して、以下説明する。
【実施例１】
【００２１】
図１及び図２は、本発明に係る点検口蓋固定構造の実施例１（図３（ｂ）の点検口蓋固定構造１参照）を示すユニットバス２の全体構成を説明する図である。ユニットバス２は、側壁３、床４（洗い場の床）、ハーフドーム天井５及び浴槽６を備えており、建築物の基礎床７上に適宜、支持部材８を介して取り付けられている。側壁３は、適宜、断熱層９で囲われている。
【００２２】
ハーフドーム天井５は、ドーム天井部１０とフラット天井部１１とを備え、建築物の構造躯体１２の下方に位置している。ドーム天井部１０は、床４の略上方に位置して設けられており、図１（ａ）、（ｂ）及び図２（ａ）、（ｂ）に示すように、フラット天井部１１より高い頂壁１３と、この頂壁１３の周囲から下方に伸びる周壁１４とから構成されている。この周壁１４であって、ドーム天井部１０からフラット天井部１１に向けて下方に形成されている周壁１４を、本明細書では、「境界周壁部１５」という。
【００２３】
フラット天井部１１は、浴槽６の略上方に位置して設けられている。フラット天井部１１と建築物の構造躯体１２との間のスペース１６には、浴室乾燥機等の機器類１７が設けられている。このような機器類１７の設置、点検又はメインテナンスをするための点検口１８が、図１（ａ）、（ｂ）に示すように、ドーム天井部１０とフラット天井部１１の境界位置に設けられている。具体的には、点検口１８は、ドーム天井部１０の頂壁１３から境界周壁部１５にかけて形成されている。点検口１８の内周面には、シール２１が配設されている。
【００２４】
図２（ａ）、（ｂ）に示すように、点検口１８を開閉する点検口蓋２２が設けられている。点検口蓋２２は図２（ｂ）、図３（ａ）に示すように、頂部２３、立ち部２４及び係合縁部２５を備え、側面視で略クランク状に形成されている。点検口蓋２２の頂部２３の横幅方向の２箇所には、図２（ｂ）、図３（ａ）に示すように、フック２６が形成されている。このフック２６は、ドーム天井部１０の点検口１８の縁部１９にシール２１を介して係合し、略この係合箇所を支点として、点検口蓋２２を上方に開くことができる。
【００２５】
点検口蓋２２の立ち部２４の前面には、図３（ｂ）、図４（ａ）、図６（ａ）、（ｂ）に示すように、段部２８を有する凹所２７が形成されている。本実施例では、立ち部２４の前面には肉厚部２９が横幅方向に延びるに形成されており、この肉厚部２９の横幅方向における複数の箇所（本実施例１では２箇所）にそれぞれ凹所２７が形成されている。凹所２７は、内側の垂直面である立面３０と、底面３１とを有する。
【００２６】
この凹所２７の平面視の形状は、後記するが、点検口蓋２２の閉止時に蓋固定部材３２を回転した際に（図５（ｇ）〜（ｉ）参照）、立面３０が蓋固定部材３２により押圧される平面視形状であれば良い。
【００２７】
例えば、凹所２７の平面視の形状は、半円、扇形、矩形等である。本実施例１では、図４（ａ）に示すように、凹所２７の平面視の形状は、略半円形に近い扇形（中心角θが１８０°より小さい円弧を有する）である。なお、凹所２７の立面３０の平面視の形状は、凹所２７の平面視の形状と同じである。
【００２８】
凹所２７の底面３１の平面視の形状は、本実施例１では、凹所２７の平面視の扇形の形状に対応して湾曲状に形成されている。凹所２７の底面３１は、図５（ｄ）〜（ｉ）に示すように、回転する蓋固定部材３２の係合部３３の下面が摺動可能に係合するので、本発明及び明細書では「係合面」とも称する。
【００２９】
図５（ｄ）〜（ｉ）に示すが、この係合面３１（底面３１）は、蓋固定部材３２が回転すると、徐々に蓋固定部材３２が係合面３１を下方に押圧するように、上記回転方向に上がり勾配となる傾斜状に形成されている（図４（ａ）、（ｂ）参照）。この係合面３１の周方向途中の所定の位置には、蓋固定部材３２の係合部３３が嵌入可能な形状及び大きさの廻り止め３４が形成されている。
【００３０】
蓋固定部材３２を回動して点検口蓋２２が口ックされる位置（図５（ｇ）〜（ｉ）、図６（ｂ）参照）で、蓋固定部材３２の係合部３３が廻り止め３４に嵌入して、作業者に口ック状態を知らせるクリック感を与える。なお、このようなクリック感を与える他の手段として、蓋固定部材３２の係合部３３の下面と凹所２７の底面３１に、突起部と凹部による廻り止めを設ける構成としてもよい。
【００３１】
ところで、蓋固定部材３２は、点検口蓋２２を、フラット天井部１１の点検口１８側の縁部３５（点検口１８に近接しフラット天井部１１の部分）に着脱可能に固定する部材である。蓋固定部材３２は、図３（ｃ）に示すように、軸部３６と、軸部３６の先端（上端）に形成された矢尻状の板片から成る係合部３３と、軸部３６の基端（下端）に形成された摘み部３７と、摘み部３７の上に形成された円盤部３８とを備えている。軸部３６は、断面視で、円形、矩形、又はその他の多角形等の形状である。
【００３２】
係合縁部２５は、図３（ａ）に示すように、点検口蓋２２の立ち部２４の下部から前方に水平に延びるように形成されている。この点検口蓋２２の係合縁部２５は、点検口１８を閉じた際には、フラット天井部１１の点検口１８の縁部３５に、シール３９を介して載置するように重なる。
【００３３】
この重なる点検口蓋２２及びフラット天井部１１の点検口１８の縁部３５には、それぞれ貫通した穴部４０、４１が形成されている。点検口蓋２２の穴部４０とフラット天井部１１の縁部３５の穴部４１は、フラット天井部１１の凹所２７に対応する位置に、互いに合致するように、同一位置に同一形状で形成されている。
【００３４】
穴部４０、４１は長穴とし、その横幅Ｗ１は、蓋固定部材３２の軸部３６が回転可能な寸法である。図４（ｃ）、（ｄ）に示すように、穴部４０、４１の横幅Ｗ１は、軸部３６の断面形状が矩形の場合は、その長い方の幅より大きく形成されている。仮に、軸部３６が断面円形であれば、その円形の直径より穴部４０、４１の横幅Ｗ１が大きく形成されている。
【００３５】
特に点検口蓋２２の穴部４０の横幅Ｗ１については、次の点も考慮して形成する。即ち、後記するが、図３（ａ）、（ｂ）及び図５（ｇ）〜（ｉ）の状態で、蓋固定部材３２の係合部３３は、点検口蓋２２の立面３０を水平方向に押圧して、点検口蓋２２をドーム天井部１０の点検口の縁部１９方向に移動させる。この蓋固定部材３２の水平方向の移動量を見込んで、点検口蓋２２の穴部４０の横幅Ｗ１は、軸部３６の寸法より十分余裕をもって形成される必要がある。
【００３６】
穴部４０、４１の縦幅Ｗ２は、蓋固定部材３２の係合部３３の縦幅Ｌより小さく形成されている。蓋固定部材３２の係合部３３は、その長手方向を穴部４０、４１の長手方向に合わせて、蓋固定部材３２の係合部３３を傾けながら穴部４０、４１に挿通する。蓋固定部材３２を穴部４０、４１に一度挿通すると、通常の使用状態では係合部３３が穴部４０に引っ掛かって抜けにくくなる。
【００３７】
蓋固定部材３２を穴部４０、４１に挿通して装着すると、蓋固定部材３２の円盤部３８がフラット天井部１１の穴部４１の縁部３５の下面側に当接する（図３（ｂ）参照）。これにより、蓋固定部材３２の係合部３３が凹所２７の係合面３１に係合して垂直方向の反力を受けても、蓋固定部材３２は上方に移動したり上方に穴部４０、４１を通って抜けたりすることが防止されるから、点検口蓋２２の係合縁部２５をフラット天井部１１の縁部３５に押付けて、点検口蓋２２を閉止状態でロックすることが可能となる。
【００３８】
本実施例１では、特に、フラット天井部１１の縁部３５の下面側には、図３（ｂ）、図４（ｄ）、（ｅ）に示すように、この穴部４１の中心（穴部４１の縦横の中心）と同心で、回転ガイド窪み４２が形成されている。回転ガイド窪み４２には、蓋固定部材３２の円盤部３８が回転可能に嵌合することができる。
【００３９】
この構成により、蓋固定部材３２は、その摘み部３７を把持して回転した際に、回転軸心がぶれることなくスムースに回転することが可能となる。また、蓋固定部材３２の係合部３３が凹所２７の立面３０を押圧する際に、立面３０から反力を受けても蓋固定部材３２は、水平方向（穴部４０、４１の長手方向）に押しのけられるように移動することが防止される。
【００４０】
（作用）                                  
以上の構成から成る実施例１の点検口蓋固定構造１の作用を説明する。図２（ａ）の想像線（２点鎖線）に示すように、点検口蓋２２が点検口１８を開いている状態から点検口蓋２２を閉じる際には、フック２６とドーム天井部１１の点検口１８の縁部１９との係合箇所を支点として、図３（ａ）に示すように、点検口蓋２２の係合縁部２５がフラット天井部１１の点検口の縁部３５に載置するように重ねる。
【００４１】
この点検口蓋２２で点検口１８を閉じてから、下方、即ち浴室側から蓋固定部材３２の摘み部３７を把持して、図５（ａ）〜（ｃ）及び図６（ａ）に示す状態で、蓋固定部材３２を上方に押し込むようにしてから、時計針周りの方向に回転する。
【００４２】
すると、図５（ｄ）〜（ｆ）に示すように、蓋固定部材３２の係合部３３は凹所２７の係合面３１上に当接し始める。この状態では、蓋固定部材３２の係合部３３は凹所２７の立面３０には未だ当接していない。
【００４３】
さらに蓋固定部材３２を、図５（ｇ）〜（ｉ）に示す位置に向けて回転すると、蓋固定部材３２の係合部３３は、傾斜状の係合面３１の高い位置に向けて摺動しながら徐々に強く当接する。このため、点検口蓋２２の係合縁部２５をフラット天井部１１の点検口１８の縁部３５にシール３９を介して下方に押付ける。同時に、蓋固定部材３２の係合部３３の先端が凹所２７の立面３０に徐々に強く当接し、点検口蓋２２をドーム天井部１０の点検口１８の縁部１９に向けて水平方向に押す。
【００４４】
そして、蓋固定部材３２は図５（ｇ）〜（ｉ）、図６（ｂ）に示す位置において、蓋固定部材３２の係合部３３は、係合面３１の廻り止め３４に嵌入する。これにより、蓋固定部材３２の係合部３３は、廻り止めされて図５（ｇ）〜（ｉ）、図６（ｂ）に示す位置（ロック位置）に保持される。
【００４５】
この状態では、点検口蓋２２は上方から蓋固定部材３２で押付けられてロックされ、点検口蓋２２は、上方に向けて力を加えても開かない。このように、蓋固定部材３２の回動することにより点検口蓋２２が口ックされる際に、上記のとおり、係合部３３が係合面３１の口ック位置において廻り止め３４に嵌入すると、作業者に口ック状態を知らせるクリック感（カチッとした感じ）を与えることができる。                                  
【００４６】
そして、この図５（ｇ）〜（ｉ）、図６（ｂ）に示す状態では、点検口蓋２２の係合縁部２５は、フラット天井部１１の点検口１８の縁部３５を、シール３９を介して下方に押付け、しかも、蓋固定部材３２の係合部３３は、点検口蓋２２の立面３０を水平方向に押圧して、点検口蓋２２をドーム天井部１０の点検口１８の縁部１９にシール２１を介して水平方向に押付ける。
【００４７】
この結果、点検口蓋２２の係合縁部２５とフラット天井部１１の点検口１８の縁部３５との間の止水性が向上するとともに、点検口蓋２２とドーム天井部１０の点検口１８の縁部１９との間の止水性が向上する。
【００４８】
以下、実施例１の点検口蓋固定構造１の各部の構成について、変形例を説明する。
【００４９】
（変形例１）
上記実施例１では、点検口蓋２２をドーム天井部１０の点検口１８の縁部１９に、フック２６によって回転可能に係合している。点検口蓋２２をドーム天井部１０の点検口１８の縁部１９に回転可能に取り付ける別の構成として、図７（ａ）、（ｂ）に変形例１を示す。この変形例１は、点検口蓋２２とドーム天井部１０をシール２１を介して対向するように配置し、点検口蓋２２をドーム天井部１０の点検口１８の縁部１９に、蝶番５０を介して回転可能に取り付けている。
【００５０】
なお、実施例１において説明したように、点検口蓋２２を閉じて蓋固定部材３２で固定した際には、蓋固定部材３２の係合部３３が点検口蓋２２の凹所２７の立面３０を押圧して、点検口蓋２２を水平方向に押す。この場合、変形例１において、蝶番５０の一方の蝶片５１のねじ通し孔５２を長孔とすれば、点検口蓋２２を蝶番５０とともに、ねじ５３及びドーム天井部１０に対して水平方向に移動させ、点検口蓋２２をシール２１を介してドーム天井部１０の点検口１８の縁部１９に押付けるので、止水効果を向上させることができる。      
【００５１】
（変形例２）
実施例１では、点検口蓋２２の凹所２７は、平面視で扇形の構成である。点検口蓋２２の凹所の別の構成として、図７（ｃ）、（ｄ）に変形例２を示す。この変形例２は、凹所５５を平面視で略半円形とし、蓋固定部材３２を、その回転中心Ｏ１を、凹所５５の半円中心Ｏ２に対して、δだけ偏心して（片側に寄せて）設ける。
【００５２】
このような構成とすることで、図７（ｄ）に示すように、蓋固定部材３２を回転すると、係合部３３が凹所５５の係合面３１を垂直方向に押圧するとともに、同時に立面５６を水平方向に押圧する。そして、蓋固定部材３２が廻り止め３４に嵌入した状態で、点検口蓋２２を閉止状態にロックすることが可能となる。
【００５３】
（変形例３）
点検口蓋２２の凹所のさらに別の構成として、図７（ｅ）に変形例３を示す。この変形例３は、凹所６０を平面視で矩形状に構成したものである。このような構成において、蓋固定部材３２の回転中心Ｏ１を、平面視矩形の凹所６０の長手方向の中心Ｏ３に対して、偏心して（片側に寄せて）設ける。
【００５４】
蓋固定部材３２の回転中心を変形例２と同様に片側に寄せることで、蓋固定部材３２を回転すると、図示はしないが、その係合部３３が凹所６０の係合面３１及び立面６１を垂直方向及び水平方向に押圧し、廻り止め３４に嵌入した状態で、点検口蓋２２を閉止状態にロックすることが可能となる。
【実施例２】
【００５５】
図８は、本発明に係る点検口蓋固定構造の実施例２を説明する図である。この実施例２の点検口蓋固定構造７０は、実施例１の点検口蓋固定構造１とその構成及び作用は、略同じであるが、実施例１のように、ハーフドーム天井５ではなく、全面的に平坦な天井に設けられた点検口を開閉可能とする点検口蓋を固定する固定構造を特徴とする。以下、実施例１と異なる構成を中心に実施例２の点検口蓋固定構造７０を説明する。実施例１と同じ構成については同じ符号を使用する。
【００５６】
図８（ａ）において、浴室の天井７１は、全面的に平坦である。この天井に点検口７２が設けられている。点検口蓋７３の一方の係合縁部７４には、図８（ｂ）に示すように、実施例１と同様にフック７５が形成されており、このフック７５が天井７１の点検口７２の一方側の縁部７６に、シール７７を介して回転可能に係合している。点検口蓋７３の他方の係合縁部７８は、天井７１の点検口７２の縁部７９に、シール８０を介して重なって載置されるように構成されている。
【００５７】
点検口蓋７３の前面には、実施例１と同様に、その幅方向２箇所に凹所２７が形成されており、この凹所２７の構成は実施例１と同じ構成であり、内側面である立面３０と、係合面（底面）３１とを有する。そして、点検口蓋７３の他方の係合縁部７８と天井の他方の側の縁部７９に、それぞれ実施例１と同様の長穴である穴部４０、４１が形成されている。
【００５８】
これらの穴部４０、４１を通して設けられた、蓋固定部材３２を回転して、その係合部３３で凹所２７の係合面３１を下方に押圧し、点検口蓋７３の係合縁部７８をシール８０を介して天井７１の点検口７２の縁部７９に押付け止水効果を向上させる。同時に、係合部３３で凹所２７の立面３０を水平方向に押圧し、点検口蓋７３の一方の側の係合縁部７４をシール７７を介して、天井７１の点検口７２の一方側の縁部７６に押付けて止水効果を向上させる。
【実施例３】
【００５９】
図９は、本発明に係る点検口蓋固定構造の実施例３を説明する図である。この実施例３の点検口蓋固定構造８１は、実施例１の点検口蓋固定構造１とその構成及び作用は、ほぼ同じであるが、実施例１のように、穴部４０の形成された係合縁部２５を設けていない構成を特徴とする。以下、実施例１と異なる構成を中心に実施例３の点検口蓋固定構造８１を説明する。実施例１と同じ構成については同じ符号を使用する。
【００６０】
実施例３の点検口蓋固定構造８１は、点検口蓋８２の立ち部８３の肉厚部８４から天井部１１側に延びる係合縁部を設けることなく、肉厚部８４の下面を天井部１１にシール８５を介して載置する。この点検口蓋固定構造８１では、穴部４１は天井１１に形成されているのみで、点検口蓋８２には形成されていない。
【００６１】
その他の構成、即ち、点検口蓋８２に形成される凹所２７の構成、及び係合面蓋固定部材３２で凹所２７の係合面３１と立面３０を押し付けて垂直及び水平方向における止水効果を高める構成は、実施例１と同じである。
【００６２】
以上、本発明に係る点検口蓋固定構造を実施するための形態を実施例に基づいて説明したが、本発明はこのような実施例に限定されるものではなく、特許請求の範囲に記載された技術的事項の範囲内でいろいろな実施例があることは言うまでもない。
【００６３】
例えば、上記実施例１〜３の点検口蓋固定構造では、蓋固定部材３２を天井１１側に設け、凹所２７を点検口蓋２２側に設けているが、蓋固定部材３２を点検口蓋２２側に設け、凹所２７を天井１１側に設けた構成でもよい。
【産業上の利用可能性】
【００６４】
本発明に係る点検口蓋固定構造は上記のような構成であるから、浴室におけるハーフドーム天井又は平坦な天井に設けられた点検口の点検口蓋の固定だけでなく、家屋一般の天井に設けられた点検口の点検口蓋の固定等にも適用可能である。
【符号の説明】
【００６５】
（実施例１）
１  点検口蓋固定構造                                       
２  ユニットバス                                           
３  側壁                                                   
４  床（洗い場の床）                                       
５  ハーフドーム天井                                       
６  浴槽                                                   
７  建築物の基礎床                                         
８  支持部材                                               
９  断熱層                                                 
１０  ドーム天井部                                               
１１  フラット天井部                                             
１２  建築物の構造躯体                                           
１３  頂壁                                                       
１４  ドーム天井部の周壁                                         
１５  境界周壁部                                                 
１６  ハーフドーム天井と建築物の構造躯体との間のスペース         
１７  浴室乾燥機等の機器類                                       
１８  点検口                                                     
１９  ドーム天井部の点検口側の縁部                               
２１  シール                                                     
２２  点検口蓋                                                   
２３  頂部                                                       
２４  立ち部                                                     
２５  係合縁部                                                   
２６  フック
２７  凹所                                                     
２８  段部                                               
２９  肉厚部                                                     
３０  立面                                                       
３１  底面（係合面）                                             
３２  蓋固定部材                                                 
３３  係合部                                                     
３４  廻り止め                                                
３５  フラット天井部の点検口の縁部                               
３６  軸部                                                       
３７  摘み部                                                     
３８  円盤部                                                     
３９  シール                                                     
４０  点検口蓋の穴部                                             
４１  フラット天井部の縁部の穴部                                 
４２  フラット天井部の回転ガイド窪み                           
（変形例１）                                               
５０  蝶番                                                 
５１  蝶片                                                 
５２  蝶片のねじ通し孔                                     
５３  ねじ                                                 
（変形例２）                                               
５５  凹所                                                 
５６  凹所の立面                                           
（変形例３）                                               
６０  凹所                                                 
６１  凹所の立面                                           
（実施例２）                                               
７０  点検口蓋固定構造                                     
７１  平坦な天井                                           
７２  点検口                                               
７３  点検口蓋                                             
７４  点検口蓋の一方の側の係合縁部                         
７５  フック                                               
７６  天井の点検口の一方側の縁部                   
７７  シール                                               
７８  点検口蓋の他方の側の係合縁部                     
７９  天井の点検口の他方の側の縁部                     
８０  シール
（実施例３）
８１  点検口蓋固定構造
８２  点検口蓋
８３  点検口蓋の立ち部
８４  立ち部の肉厚部
８５  シール                                          
【図１】
0005521586.tif 000002
【図２】
0005521586.tif 000003
【図３】
0005521586.tif 000004
【図４】
0005521586.tif 000005
【図５】
0005521586.tif 000006
【図６】
0005521586.tif 000007
【図７】
0005521586.tif 000008
【図８】
0005521586.tif 000009
【図９】
0005521586.tif 000010